(57)【要約】    【課題】  光学性能や光軸方向への動きに対する影響が少ない内面反射を抑制する構造を実現する。    【解決手段】  それぞれレンズ鏡筒を構成する光軸方向に相対移動が可能な、第１の部材５と、該第１の部材の内周面に接する接触部６ｅが設けられた第２の部材とを有する光学機器において、第１の部材の内周面に、物体側から入射した光の像側への反射を抑える反射抑制構造５ｂを含む反射抑制領域を設ける。光軸方向において、接触部の幅Ａを反射抑制領域の幅Ｂよりも大きく設定する。    【選択図】  図１ 
2005227404.tif 000002
【特許請求の範囲】
【請求項１】
それぞれレンズ鏡筒を構成する光軸方向に相対移動が可能な筒状の部材である第１の部材および該第１の部材の内周面に接する接触部が設けられた第２の部材を有し、
前記第１の部材の内周面は、物体側から入射した光の像側への反射を抑える反射抑制構造を含む反射抑制領域を有しており、
光軸方向において、前記接触部の幅が前記反射抑制領域の幅よりも大きいことを特徴とする光学機器。
【請求項２】
前記反射抑制領域は、前記反射抑制構造が設けられた第１の部分と、該第１の部分と前記第１の部材の内周面との間に設けられ、光軸に対して傾斜した面を持つ第２の部分とを含むことを特徴とする請求項１に記載の光学機器。
【請求項３】
前記接触部における光軸方向端部は、曲面形状を有することを特徴とする請求項１又は２に記載の光学機器。
【請求項４】
前記反射抑制構造は、光軸方向に沿った断面において、前記レンズ鏡筒の内径側に頂点を有する突起形状を光軸方向に複数配置した構造を有することを特徴とする請求項１から３のいずれか１つに記載の光学機器。
【請求項５】
前記反射抑制構造は、複数の毛状体により構成されていることを特徴とする請求項１から３のいずれか１つに記載の光学機器。
【請求項６】
前記反射抑制構造のうち前記レンズ鏡筒の最も内径側の部分が、前記第１の部材の内周面よりも外径側に位置することを特徴とする請求項１から５のいずれか１つに記載の光学機器。
【請求項７】
前記第１の部材と前記第２の部材は、前記接触部が前記反射抑制領域を通過するように光軸方向に相対移動することを特徴とする請求項１から６のいずれか１つに記載の光学機器。
【請求項８】
前記第２の部材は、光軸方向における前記接触部とは別に、前記レンズ鏡筒を構成する筒状の第３の部材に対して接触する他の接触部を有することを特徴とする請求項７に記載の光学機器。
【請求項９】
請求項１から８のいずれか１つに記載の光学機器であって、撮影装置に対して装着可能であることを特徴とする交換レンズ装置。
【発明の詳細な説明】
【技術分野】
【０００１】
本発明は、レンズ鏡筒内に摺動部と反射抑制構造とを有する交換レンズ等の光学機器に関するものである。
【背景技術】
【０００２】
従来のレンズ鏡筒内の摺動部に使用される内面反射の抑制構造は、移動環を摺動可能に保持する円筒部材の内周面に、潤滑性を持った低反射塗料を塗布し、油を使用しないことでゴーストを低減させる構成としている。また、他の反射抑制構造として、円筒部材の内周面にＶ字形状の溝加工（遮光線）を施したり、遮光紙を貼り付けたり、移動環を円筒部材の内周面とは摺動させずにカム溝部と案内溝部とに摺動する３箇所のコロによっていわゆる宙吊り状態で保持したりするものがある。
【０００３】
また、本出願人も、円筒部材の内周面に形成されたカム溝部の周辺以外の摺動領域に、反射防止処理を施した別部材を配置する構成を提案している（特許文献１参照）。
【特許文献１】特開平１０−１８６１９９号公報（段落００３１，００３２、図２等）
【発明の開示】
【発明が解決しようとする課題】
【０００４】
しかしながら、潤滑性低反射塗料を塗布した場合は、円筒部材と移動環との係合状態にがたつきが残るため、移動環の移動によってカタカタ等という異音が発生し易い。また、内面反射の改善程度が他の反射抑制構造よりも低くなる傾向がある。
【０００５】
また、３箇所のコロにより宙吊り状態で移動環を保持する場合には、摺動部が無いことにより移動環の光軸上からのずれ（平行偏心）が発生し易い。このため、平行偏心に対して余裕のある光学系にしか採用できない。
【０００６】
さらに、上記特許文献１の反射抑制構造では、カム溝部の周辺に、反射防止処理を施した別部材を施していない摺動領域が存在する。
【０００７】
本発明は、レンズ鏡筒の光学性能や光軸方向への動きに対する影響が少ない内面反射抑制構造を有する光学機器および交換レンズ装置を提供することを目的としている。
【課題を解決するための手段】
【０００８】
上記の目的を達成するために、本発明の１つの観点は、それぞれレンズ鏡筒を構成する光軸方向に相対移動が可能な筒状の部材である第１の部材および該第１の部材の内周面に接する接触部が設けられた第２の部材を有する光学機器において、第１の部材の内周面に、物体側から入射した光の像側への反射を抑える反射抑制構造を含む反射抑制領域を設け、光軸方向において、接触部の幅を反射抑制領域の幅よりも大きく設定している。
【発明の効果】
【０００９】
上記発明によれば、第２の部材の接触部における少なくとも一部が常に第１の部材の内周面に対して接触する。このため、第１の部材の内周面に反射抑制領域が存在することによる第１および第２の部材の相対的な傾きやがたつきの発生を回避することができる。このため、第１および第２の部材が光軸方向に相対移動することによって反射抑制領域上を接触部が移動する際の移動むらや異音の発生を抑制するのに有効である。
【発明を実施するための最良の形態】
【００１０】
以下、本発明の実施例について図面を参照しながら説明する。
【実施例１】
【００１１】
図１には、本発明の実施例１である交換レンズ装置（光学機器）の構成を示している。また、図２には、上記交換レンズ装置におけるレンズ鏡筒構造の主要部（直進筒、カム筒、案内筒）を分解して示している。さらに、図３には、直進筒の断面形状を示している。以下、図１を中心として他の図を用いつつ説明する。
【００１２】
図１に示すＬ１〜Ｌ６はそれぞれ、被写体側（以下、前側という）から像側（以下、後側という）に順に配置そされた第１〜第６のレンズユニットである。これらレンズユニットＬ１〜Ｌ６は、ズーム操作環１の光軸方向の移動に応じて移動する。これにより、該レンズ装置の焦点距離を変更することができる。
【００１３】
ズーム操作環１の外周には、操作する際の滑りを防止するための操作ゴム１ａが配置され、ズーム操作環１の前端部には、有害光をカットするためのフード（図示せず）のバヨネット結合による取り付けが可能な爪部１ｂが形成されている。また、ズーム操作環１の後端部には、フォーカス操作環２と、ズーム操作の重さを調節するためのズーム操作調節リング３が配置されている。ズーム操作調節リング３は、フォーカス操作環２とネジ結合されている。ズーム操作調節リング３を回転させることによって、その内側のズームバンド３ａが内径側へと締め付けられていく。これにより、ズームバンド３ａと前側固定筒４との間の摩擦力が変化し、ズーミング操作力を調節することができる。
【００１４】
また、フォーカス操作環２の内周面には、レンズ鏡筒構造の内部と外界との間の急激な空気の出入り防止するためのフェルト材２ａが貼り付けられている。フェルト材２ａを前側固定筒４の外周面に圧接させることで、フォーカス操作環２の回転位置にかかわらず、常に前側固定筒４とフェルト材２ａとが接し、フォーカス操作環２と前側固定筒４との間から急激に空気が出入りしたり、鏡筒内部に水滴やゴミが浸入したりすることを防止できる。また、外周には、操作し易いように操作ゴム２ｃが配置されている。
【００１５】
前側固定筒４の内周面には、マニュアル連結環３０がその全周で接触している。マニュアル連結環３０の後端部には、リング状の振動型モータを含むフォーカス駆動ユニット（図中にハッチング領域として示す）８のマニュアル入力部（符号付さず）の切欠き部に入り込む突起部３０ａが周方向３箇所に設けられている。また、マニュアル連結環３０の前端部には、平面部３０ｂが設けられており、該平面部３０ｂには、コロ２９がビス２９ａによって取り付けられている。コロ２９は、フォーカス操作環２に設けられている直進溝部２ｂ内を移動する。
【００１６】
以上の構成により、ズーム操作環１およびフォーカス操作環２が一体的に光軸方向に移動しても、フォーカス操作環２の回転操作は、直進溝２ｂ、コロ２９およびマニュアル連結環３０の順に伝達され、フォーカスユニット８内のマニュアル入力部を回転させてマニュアルフォーカス操作を行うことができる。
【００１７】
５は第１の部材としての直進筒であり、その内周側は案内筒７が配置されている。案内筒７の外周面には、３本の直進溝部７ａ（図２参照）が形成されており、この直進溝部７ａには、直進筒５に一体的に固定された直進キー（図示せず）が係合している。これにより、直進筒５は案内筒７に対して光軸方向に直進移動できる。
【００１８】
また、直進筒５は、ズーム操作環１と不図示のビスで固定されており、第１レンズユニットＬ１を保持する第１鏡筒１３をビス４０およびコロ４１を介して固定保持している。このため、これら直進筒５、ズーム操作環１および第１鏡筒１３は一体的に光軸方向に移動する。
【００１９】
また、直進筒５には、カム部５ａが設けられ、このカム部５ａに係合するカムフォロワ（図示せず）は第２の部材としてのカム筒６に固定されている。従って、ズーム操作環１（第１レンズユニットＬ１）の光軸方向への移動に伴ってカム筒６は回転しながら光軸方向に移動する。
【００２０】
また、直進筒５の内周面５ｅには、カム筒６の先端に全周にわたって設けられた接触部としての摺動部６ｅが接触する。摺動部６ｅの外径は、カム筒６の他の部分の外径よりも大きい。
【００２１】
ここで、テレ側の焦点距離域では、第１レンズユニットＬ１から入射した光線が、直進筒５の内周面５ｅで像側（後側）に反射してゴースト像を形成することを抑制するため、内周面５ｅにおける光軸方向中間部の領域（以下、反射抑制領域という）には、反射抑制構造としての遮光線５ｂが設けられている。遮光線５ｂは、図１の断面においては、鏡筒の内径側に頂点を有するＶ字突起が光軸方向に複数配列された構造（形状）を有する。
【００２２】
カム筒６の光軸方向の移動量は、第５レンズユニットＬ５を有する振れ補正ユニット（図中にはハッチング領域として示す）１２の光軸方向の移動量と同じであり、振れ補正ユニット１２は第５移動筒１１に固定されている。カム筒６に設けられた周溝部６ｉ（図２参照）には、第５移動筒１１に固定されたカムフォロワ（図示せず）が係合する。これにより、カム筒６の回転しながらの光軸方向移動のうち光軸方向移動成分のみを第５移動筒１１および振れ補正ユニット１２に伝達する。
【００２３】
振れ補正ユニット１２は、第５レンズユニットＬ５を光軸直交方向にシフトさせることによって該レンズ装置の振動に伴う像振れを補正する。振れ補正動作を行わない場合、第５レンズユニットＬ５は、その光軸が該レンズ装置の光軸と一致するようにロックされている。また、振れ補正装置１２は不図示のフレキシブル基板を介して制御基板２１に接続されている。制御基板２１上には振動ジャイロ２１ａが実装されており、制御基板２１上に形成された制御回路（図示せず）は、該振動ジャイロ２１ａからの信号に基づいて振れ補正ユニット１２内のコイル（図示せず）に通電し、該コイルと永久磁石間の電磁作用（図示せず）により発生した推力によって第５レンズユニットＬ５を光軸直交方向に駆動する。
【００２４】
案内筒７は、前側および後側固定筒４，９とともに該レンズ装置の本体を構成する固定要素であり、後側部分よりも前側部分の方が外径が大きい２段筒形状に形成されている。後側部分には、フォーカス駆動ユニット８が固定され、さらに後端部には、後側固定筒９およびカメラ装着用のマウント１０がビスによって固定されている。
【００２５】
１４は防滴ゴムであり、カメラに装着された際にマウント１０の内部への水の浸入を防止する。
【００２６】
１５はマウントリングであり、その厚みを削ることで、フランジバック調整を行うことができる。なお、前側固定筒４と後側固定筒９は周方向３箇所にてビス（図示せず）によって一体的に固定されている。
【００２７】
第２レンズユニットＬ２を保持している第２鏡筒１６は、第２移動筒１７に３本のビス１８によって結合されており、第２鏡筒１６と第２移動筒１７の間には、レンズ間隔調整のためのワッシャ（図示せず）が挿入できる構成となっている。
【００２８】
第２移動筒１７に固定されているカムフォロワ（図示せず）は、フォーカスカム筒１９の内周面に形成されているフォーカスカム部（図示せず）に沿って移動する。３２は第２フォーカスキーであり、第２移動筒１７にビス３３で固定されている。また、第２フォーカスキー３２の先端部には、コロ３４が軸ビス３５によって固定されている。コロ３４は第１フォーカスキー２０と係合する。従って、第１フォーカスキー２０の回転に伴い第２フォーカスキー３２を介して第２レンズユニットＬ２が回転しながら光軸方向に進退する。
【００２９】
フォーカスカム筒１９に固定されているカムフォロワ（図示せず）は、カム筒６に設けられている光軸に平行な案内溝６ｊ（図２参照）と第５移動筒１１に設けられているカム溝部１１ａに入り込む。このため、フォーカスカム筒１９は、カム筒６の回転に伴って回転しながら光軸方向に移動する。
【００３０】
ここで、ズーミング動作が行われると、カム筒６は回転しながら光軸方向に移動し、その回転に伴ってフォーカスカム筒１９も回転しながら光軸方向に移動する。この際、第１および第２フォーカスキー２０，３２は回転しないため、第２鏡筒１６も回転せずに光軸方向に移動する。第２鏡筒１６の光軸方向移動量は、フォーカスカム筒１９の回転しながらの光軸方向への移動量と、該フォーカスカム筒１９の回転に伴うフォーカスカムの光軸方向へのリフト量（第２移動筒１７に設けられたカムフォロワの光軸方向における当接位置の変化量）との和に相当する移動量となる。
【００３１】
なお、第２レンズユニットＬ２はフォーカスレンズユニットでもある。第２レンズユニットＬ２は、フォーカス駆動ユニット８からの出力や操作されたフォーカス操作環２の回転が第１フォーカスキー２０を介して第２フォーカスキー３２に伝達されることで、第２移動筒１７とともに回転しながら光軸方向に移動する。本実施例においては、第１フォーカスキー２０とフォーカス駆動ユニット８の出力部間の出力伝達距離が長いので、その間にはボールレース２８が介在している。
【００３２】
すなわち、フォーカス駆動ユニット８からの出力は、不図示の伝達キーの回転として出力される。伝達キーはボールレース２８の出力部材２８ａと接続されているので、伝達キーの回転は、出力部材２８ａを回転させる力として伝達される。調整部材２８ｄは、出力部材２８ａとねじ結合されており、ボール２８ｂの光軸方向のずれやガタを調整することができる。また、出力部材２８ａは、ベース部材２８ｃの凹部内に周方向に複数個配置されたボール２８ｂで支えられている。このため、出力部材２８ａは、ベース部材２８ｃに対してスムーズに回転できる。ベース部材２８ｃは案内筒７に結合している。
【００３３】
本実施例のレンズ装置は、焦点距離に応じて同じ距離の被写体に対するフォーカスのための移動量が異なる光学系である。このため、上記のような構成を採用して、フォーカスカム筒１９の回転によってフォーカスカムの使用領域を変化させ、第２レンズユニットＬ２の移動量を焦点距離に応じて変化させている。
【００３４】
２２は第３鏡筒であり、第３レンズユニットＬ３を保持し、かつ電磁絞りユニット２７が固定されている。第３鏡筒２２に設けられたカムフォロワ（図示せず）は、カム筒６に設けられたカム溝部６ａと第５移動筒１１に設けられた直進溝部（図示せず）に係合している。これにより、第３鏡筒２２は、カム筒６の回転しながらの光軸方向移動に伴ってカム溝部６ａのリフト量に対応した量だけ光軸方向に移動する。
【００３５】
２３は第４レンズユニットＬ４を保持する第４鏡筒２３である。この第４鏡筒２３に設けられたカムフォロワ（図示せず）は、カム筒６に設けられたカム溝部６ｂと第５移動筒１１に設けられた直進溝（図示せず）に係合している。これにより、第４鏡筒２３は、カム筒６の回転しながらの光軸方向移動に伴ってカム溝部６ｂのリフト量に対応した量だけ光軸方向に移動する。
【００３６】
２４は第６レンズユニットＬ６を保持する第６鏡筒である。第６鏡筒２４に設けられたカムフォロワは、カム筒６に設けられたカム溝部６ｃと案内筒７に設けられた直進溝部７ｂ（図２参照）に係合している。このため、カム筒６の回転しながらの光軸方向移動に伴ってカム溝部６ｃのリフト量に対応した量だけ光軸方向に移動する。
【００３７】
２５は三脚座であり、不図示の三脚に固定するためのネジ部２５ａが設けられている。
【００３８】
本レンズ装置に設けられたフォーカス駆動ユニット８、振れ補正ユニット１２および電磁絞りユニット２７等の制御は、前述した制御基板２１上に形成された制御回路が行う。制御基板２１は、案内筒７の外周を囲む複数の平面部を有した形状を有し、案内筒７に固定されている。また、制御基板２１は、不図示のフレキシブル基板によってフォーカス駆動ユニット８やカメラとの電気的接続を行う電気接点２６と接続されている。さらに、制御基板２１は、振れ補正装置１２および電磁絞りユニット２７と、他のフレキシブル基板によって接続されている。さらに、振動ジャイロ２１ａは、制御基板２１上に半田付けされ、案内筒７に対してゴムを介してビス止めされている。
【００３９】
次に、図１〜図４を用いて、直進筒５とカム筒６と案内筒７との関係をさらに詳しく説明する。
【００４０】
前述した通り、直進筒５の内周面５ｅにおける被写体側の部分（第１レンズユニットＬ１より後側の部分）には、遮光線５ｂが設けられている。しかし、遮光線５ｂが形成された反射抑制領域（図１および図３にＢで示す光軸方向幅を有する領域）は、該レンズ装置がワイド端とテレ端との間で動作する際に、カム筒６の先端に設けられた摺動部６ｅが通過する領域である。
【００４１】
このため、本実施例においては、遮光線５ｂを含む反射抑制領域の光軸方向の幅Ｂを、ゴーストの原因となる反射光を発生させ得る領域の幅に限定している。また、反射抑制領域の一部として、遮光線５ｂの前側部分には、前側に向かって径が細くなる傾斜面５ｃが、遮光線５ｂの後側部分には、後側に向かって径が細くなる傾斜面５ｄが形成されている。これらの傾斜面５ｃ，５ｄの光軸に対する角度は、前側から入射した線がここで反射しても、後方には反射しない（ゴーストを発生させない）角度に設定されている。そして、これら傾斜面５ｃ，５ｄと遮光線５ｂとを合わせた光軸方向の幅Ｂと、カム筒６の摺動部６ｅの光軸方向の幅Ａとは、図１にも示すように、
Ａ＞Ｂ
の関係を有する。このため、該レンズ装置のズーム動作によって直進筒５がカム筒６に対して光軸方向に移動して、カム筒６の摺動部（以下、第１の摺動部という）６ｅが反射抑制領域を通過する場合も含めて、第１の摺動部６ｅは、その前側および後側のうち少なくとも一方が直進筒５の内周面５ｅ（反射抑制領域ではない部分）に対して、常に接触（摺動）する。さらに、案内筒７とカム筒６もズーム動作によって相対移動するが、カム筒６の外周における光軸方向の２箇所には、案内筒７の内周面に対して接触する第２および第３の摺動部６ｆ，６ｇが形成されている。したがって、カム筒６の光軸に対する倒れは、これら第２および第３の摺動部６ｆ，６ｇの案内筒７の内周面に対する接触ガタ分に制限される。
【００４２】
言い換えれば、直進筒５の内周面５ｅの一部に反射抑制領域が存在することによる直進筒５とカム筒６との相対的な傾きやがたつきの発生を回避することができる。
【００４３】
さらに、本実施例では、図４に示すように、遮光線５ｂの頂点、すなわち遮光線５ｂのうち最も内径側の部分は、直進筒５の内周面５ｅ（反射抑制領域ではない部分）よりも、ａ寸法分外径側に退避している。つまり、遮光線５ｂの環状頂点の内径は、直進筒５の内周面５ｅの内径よりも大きい。寸法ａは、摺動部６ｆ，６ｇの案内筒７に対する接触ガタによってカム筒６が倒れ、第１の摺動部６ｅの先端が振れる量よりも大きく設定している。このため、第１の摺動部６ｅの先端が、遮光線５ｂに触れることはない。このため、上記反射抑制領域と第１の摺動部６ｅとの幅の関係と相まって、直進筒５とカム筒６とが光軸方向に相対移動することによって反射抑制領域上を第１の摺動部６ｅが移動する際の移動むらおよび異音の発生を抑制することができる。
【００４４】
しかも、本実施例では、前述したように、遮光線５ｂの前後に傾斜面５ｃ，５ｄを形成する一方、さらに第１の摺動部６ｅの前後端を曲面６ｈとしている。このため、ズーム時に上記接触ガタによって第１の摺動部６ｅが傾斜面５ｃ，５ｄに接触したとしても、その接触による直進筒５のカム筒６に対する移動むら等が生じにくい。
【００４５】
以上説明したように、本実施例によれば、直進筒５の内周面５ｅで反射光によるゴースト像の発生を、レンズ装置の光学性能やズーム動作に影響をほとんど与えることなく効果的に抑制することができる。しかも、遮光線５ｂ（反射抑制領域）の幅とカム筒６における第１の摺動部６ｅとの関係を適切に設定したり、遮光線５ｂの前後に傾斜面５ｃ，５ｄを形成したり、第１の摺動部６ｅの前後端を曲面６ｈとしたりするだけでよいので、レンズ装置の製造コストの上昇も抑えることができる。
【実施例２】
【００４６】
図５には、本発明の実施例２である交換レンズ装置の反射抑制領域の構成を示している。実施例１では、反射抑制領域に形成する反射抑制構造を遮光線とした場合について説明したが、本実施例では、反射抑制構造として、多数の毛状体１０５ａが植え付けられた植毛シート（遮光紙）１０５を採用している。
【００４７】
具体的には、直進筒５の内周面５ｅの一部であって、実施例１の遮光線５ｂの光軸方向幅と同様の幅を有する領域に溝部５ｂ’を形成し、その溝部５ｂ’内に植毛シート１０５を貼り付ける。
それ以外の構成は、実施例１と同様であり、共通する部分には実施例１と同符号を付している。本実施例でも、実施例１と同等の作用効果を得ることができる。
【００４８】
以上説明したように、上記各実施例によれば、直進筒５の内面反射によるゴーストの発生を抑制することができるとともに、光学的な偏心調整を新たに追加することなくレンズ装置としての光学性能を確保することができる。また、反射抑制領域を設けたことによるズーム動作への影響をほとんどなくすることができる。以上の効果を製造コストの上昇を抑えつつ得ることができる。
【００４９】
また、反射抑制領域における反射抑制構造（第１の部分）の光軸方向前後に設けた傾斜面（第２の部分）によって、反射抑制構造の部分と直進筒５の内周面５ｅ（反射抑制領域以外の部分）とを繋いでいるので、カム筒６の第１の摺動部６ｅが反射抑制構造の前後を移動する際の移動むらも抑制できる。
【００５０】
また、第１の摺動部６ｅの端部を曲面形状としているので、第１の摺動部６ｅが反射抑制構造の前後を移動する際の移動むらをより効果的に抑制することができる。
【００５１】
さらに、第１の摺動部６ｅとは別の第２および第３の摺動部６ｆ，６ｇが案内筒７に接触するので、カム筒６自体が光軸に対して傾きにくくなり、第１の摺動部６ｅが反射抑制領域を通過する際の影響をより効果的に抑制することができる。
【００５２】
また、直進筒５において、遮光線５ｂにおける最も内径側の部分を、内周面５ｅよりも外径側に退避させたので、第１の摺動部６ｅが遮光線５ｂに接触する可能性を低くすることができ、第１の摺動部６ｅが反射抑制領域を通過する際の影響をより効果的に抑制することができる。
【００５３】
なお、上記各実施例では、第１の部材としての直進筒５が第２の部材としてのカム筒６に対して光軸方向に移動する場合について説明したが、第２の部材が第１の部材に対して光軸方向に移動する構成のレンズ装置にも本発明を適用することができる。
【００５４】
また、上記各実施例では、交換レンズ装置について説明したが、本発明はレンズ鏡筒部を一体的に有するカメラ（光学機器）にも適用することができる。
【図面の簡単な説明】
【００５５】
【図１】本発明の実施例１である交換レンズ装置の断面図。
【図２】実施例１の交換レンズ公知の主要部の構成を示す分解斜視図。
【図３】実施例１の交換レンズ装置を構成する直進筒の断面形状を表す図。
【図４】実施例１の交換レンズ装置の断面の一部拡大図。
【図５】本発明の実施例１である交換レンズ装置の断面の一部拡大図。
【符号の説明】
【００５６】
Ｌ１〜Ｌ６  レンズユニット
１  ズーム操作環
２  マニュアル操作環
４  前側固定筒
５  直進筒
５ｂ  遮光線
５ｃ，５ｄ  傾斜面
５ｅ  内周面
６  カム筒
６ｅ  摺動部（第１の摺動部）
７  案内筒
９  後側固定筒
２５  三脚座
【図１】
2005227404.tif 000003
【図２】
2005227404.tif 000004
【図３】
2005227404.tif 000005
【図４】
2005227404.tif 000006
【図５】
2005227404.tif 000007